(57)【要約】【課題】設置場所の長さによって多様な長さに使用可能で、かつ電極部の構造を改善してショートの発生の虞が無く簡単に電線や電極相互間を連結できることによって、作業性と安定性を向上させたフレキシブルＬＥＤ照明モジュールを提供する。【解決手段】本発明はフレキシブルな回路基板の上面に複数の照明ユニット部が長手方向に沿って一定間隔で配置され、かつ前記照明ユニット部は、前記回路基板の上面に長手方向に沿って一定間隔で配列実装された複数のＬＥＤを含み、前記複数の照明ユニット部の間には幅方向に切断可能で、照明ユニット部と電気的に接続されるユニット電極部が配置され、かつ前記ユニット電極部は、回路基板の上面で幅方向の一側に形成された正電極と、回路基板の下面で幅方向の他側に形成された負電極を含むフレキシブルＬＥＤ照明モジュールに関するものである。【選択図】図１
2019106505.tif 000002
【特許請求の範囲】
【請求項１】
フレキシブルな回路基板（１０）の上面に複数の照明ユニット部（２０）が長手方向に沿って一定間隔で配置され、かつ前記照明ユニット部（２０）は、前記回路基板（１０）の上面に長手方向に沿って一定間隔で配列実装された複数のＬＥＤ（２１）を含み、
前記複数の照明ユニット部（２０）の間には幅方向に切断可能で、照明ユニット部（２０）と電気的に接続されるユニット電極部（３０）が配置され、かつ前記ユニット電極部（３０）は、回路基板（１０）の上面で幅方向の一側に形成された正電極（３１）、および、回路基板（１０）の下面で幅方向の他側に形成された負電極（３２）を含む、フレキシブルＬＥＤ照明モジュール。
【請求項２】
前記回路基板（１０）の長手方向一端部には他の回路基板との接続のための連結電極部（４０）が配置され、かつ
前記連結電極部（４０）は、回路基板（１０）の上面と下面で幅方向の両側に形成された正電極（４１）および負電極（４２）と、前記正電極（４１）と負電極（４２）との間に切欠形成された切欠スリット（４３）とを含む、請求項１に記載のフレキシブルＬＥＤ照明モジュール。
【発明の詳細な説明】
【技術分野】
【０００１】
本発明はフレキシブルＬＥＤ照明モジュールに関し、特にショート発生の虞が無く、より便利で、かつ安全に電線及び電極連結可能なフレキシブルＬＥＤ照明モジュールに関する。
【背景技術】
【０００２】
一般に、ＬＥＤ照明モジュールは一定長さを有する回路基板に複数のＬＥＤが長手方向に沿って実装配列される構成からなっているが、設置される場所によって長さ調整が困難で、従来は設置場所の長さに合うように予め製作されなければならず、相異する設置場所では使用が困難な問題点があった。
【０００３】
これによって、回路基板を幅方向に切断し、互いに連結して長さを調整することができるＬＥＤ照明モジュールが提案された（特許第５４９０２７９号公報）。
【０００４】
しかしながら、前記先行技術文献の照明モジュールは、電極部の構造上、正電極と負電極に電線を連結するか、または電極部の相互間の連結のために半田付けする時、ショートが発生する危険性が大きいという問題点があり、それによって慎重で、かつ丁寧に半田付け作業がなされなければならないという作業上の困難性と不便性がある。
【先行技術文献】
【特許文献】
【０００５】
【特許文献１】特許第５４９０２７９号公報
【発明の概要】
【発明が解決しようとする課題】
【０００６】
本発明は従来の問題点を解決するために提案されるものであって、本発明の目的は、設置場所の長さによって多様な長さに使用可能で、かつ電極部の構造を改善してショートの発生の虞が無く簡単に電線や電極相互間を連結できることによって、作業性と安定性を向上させたフレキシブルＬＥＤ照明モジュールを提供するものである。
【課題を解決するための手段】
【０００７】
前記の目的を達成するための本発明の課題解決手段として、フレキシブルな回路基板の上面に複数の照明ユニット部が長手方向に沿って一定間隔で配置され、かつ前記照明ユニット部は前記回路基板の上面に長手方向に沿って一定間隔で配列実装された複数のＬＥＤを含み、前記複数の照明ユニット部の間には幅方向に切断可能で、照明ユニット部と電気的に接続されるユニット電極部が配置され、かつ前記ユニット電極部は回路基板の上面で幅方向の一側に形成された正電極と、回路基板の下面で幅方向の他側に形成された負電極を含むフレキシブルＬＥＤ照明モジュールが開示される。
【０００８】
ここで、前記回路基板の長手方向の一端部には他の回路基板との接続のための連結電極部が配置され、かつ前記連結電極部は回路基板の上面と下面で幅方向の両側に形成された正電極及び負電極と、前記正電極と負電極との間に切欠形成された切欠スリットを含むことができる。
【発明の効果】
【０００９】
本発明に係るフレキシブルＬＥＤ照明モジュールによれば、設置場所の長さによって切断及び連結を通じて多様な長さで使用可能で、特に電極部の構造改善を通じてショートの発生の虞が無く簡単に電線や電極相互間を連結できるので、作業性と安定性が格段に向上する効果がある。
【図面の簡単な説明】
【００１０】
【図１】本発明に係るフレキシブルＬＥＤ照明モジュールの一例を示した図である。
【図２】図１の“Ａ”部分を拡大例示した図である。
【図３】図１の“Ｂ”部分を拡大例示した図である。
【図４】ＬＥＤ照明モジュールのユニット電極部に電線を連結した適用例を例示した図である。
【図５】回路基板の切断及び電線を連結した適用例を例示した図である。
【図６】電極連結部を通じて回路基板を相互連結させた適用例を例示した図である。
【図７】電極連結部を通じて回路基板を相互連結させた適用例を例示した図である。
【発明を実施するための形態】
【００１１】
以下、添付した図面を参照して本発明に係るフレキシブルＬＥＤ照明モジュールに関する好ましい実施形態を詳細に説明する。
【００１２】
図１から図３には本発明のフレキシブルＬＥＤ照明モジュール１００が例示されているところ、前記図面に例示されたように、本発明の一実施形態に係るフレキシブルＬＥＤ照明モジュール１００は、回路基板１０、照明ユニット部２０、ユニット電極部３０、及び連結電極部４０を含んで構成される。
【００１３】
前記回路基板１０はフレキシブルな性質を有するＦＰＣＢであって、一定長さ延びる薄い板形態に形成される。
【００１４】
回路基板１０には、回路基板１０に設置される前記照明ユニット部２０、ユニット電極部３０、及び連結電極部４０を電気的に連結させる配線がパターン化されて形成される。
【００１５】
前記照明ユニット部２０は、回路基板１０の上面に長手方向に沿って複数個が一定間隔で配置される。
【００１６】
このような照明ユニット部２０は、回路基板１０の上面に長手方向に沿って一定間隔で配列実装されながら電源供給により発光する複数のＬＥＤ２１からなり、前記図面には５個のＬＥＤ２１が配列されたものが一例示されている。
【００１７】
前記ユニット電極部３０は一定間隔で配列された照明ユニット部２０の間の回路基板１０に配置され、配線を通じて照明ユニット部２０と電気的に接続される。
【００１８】
このようなユニット電極部３０は電線を連結できる正電極３１と負電極３２を含み、回路基板１０の終端部のユニット電極部３０を除いては、全て幅方向に切断可能に構成される。
【００１９】
図２に例示したように、前記ユニット電極部３０を構成する正電極３１と負電極３２は回路基板１０にジグザグ形態に形成されるが、即ち正電極３１は回路基板１０の上面で幅方向の一側に形成され、負電極３２は回路基板の下面で幅方向の他側に形成される。
【００２０】
前記連結電極部４０は他の回路基板１０との連結接続のためのものであって、回路基板１０の長手方向の一端部に配置される。
【００２１】
このような連結電極部４０は、図３に例示したように、他の回路基板１０のユニット電極部３０を構成する正電極３１と負電極３２に各々接続できる正電極４１及び負電極４２を含む。
【００２２】
連結電極部４０の正電極４１と負電極４２はユニット電極部３０とは異なり、回路基板１０の上面と下面に全て形成される。即ち、正電極４１は回路基板１０の上下面で幅方向の一側に形成され、負電極４２は回路基板１０の上下面で幅方向の他側に形成される。
【００２３】
また、連結電極部４０は正電極４１と負電極４２との間に形成された切欠スリット４３を含む。前記切欠スリット４３は正電極４１と負電極４２との間に前記回路基板１０が挟まれることができる幅以上に切欠されて形成される。
【００２４】
前記した構成を有する本発明のフレキシブルＬＥＤ照明モジュール１００の適用例を図４から図７を通じて説明する。
【００２５】
まず、図４に例示したように、回路基板１０の端部側のユニット電極部３０に電源供給のための電線を連結させるが、この際、本発明は正電極３１が上面の一側に、負電極３２が下面の他側に形成されて、正の電線Ｃ１と負の電線Ｃ２が各々回路基板１０の反対側で相互離隔して連結されるので、電線連結のための半田付け時、ショート発生の可能性が全くないし、それによって、半田付け作業も便利に遂行できる。
【００２６】
また、図５に一例示したように、より短い長さに使用する時には、回路基板１０に配列された複数のユニット電極部３０のうち、適切なユニット電極部３０の中間部分を幅方向に切断（Cutting）すればよい。そして、このように切断されたユニット電極部３０に前述したことと同一に、ショート発生の問題無しで簡単に電源供給のための電線Ｃ１、Ｃ２を連結すればよいものである。
【００２７】
一方、図６及び図７に一例示したように、フレキシブルＬＥＤ照明モジュール１００を長く使用する時には、回路基板１０を互いに連結して使用することができる。
【００２８】
この場合、図６に例示したように、相互連結させる一対の回路基板１０ａ、１０ｂを十字（＋）形態にした状態で、一側回路基板１０ａの連結電極部４０に形成された切欠スリット４３に他側回路基板１０ｂのユニット電極部３０を挿入させる。
【００２９】
以後、挿入状態で図７に例示したように、回路基板１０が互いに平行となるように回転させて連結電極部４０の正電極４１と負電極４２がユニット電極部３０の正電極３１と負電極３２に各々接触するようにした後、ハンダ付けを通じて各々連結させればよい。
【００３０】
この時にも正電極４１、３１と負電極４２、３２の各々のハンダ付けが回路基板１０の反対側でなされるので、ショート発生の可能性無しで便利に連結作業を遂行できるようになる。
【００３１】
以上で説明したように、本発明は照明現場の状況に合せて多様な長さに使用可能で、かつ特に電線連結や電極連結時、ショートが発生する虞が無くより簡単に作業が遂行できることが分かる。
【符号の説明】
【００３２】
１０    回路基板
２０    照明ユニット部
２１    ＬＥＤ
３０    ユニット電極部
４０    連結電極部
３１／４１    正電極
３２／４２    負電極
４３    切欠スリット
【図１】
2019106505.tif 000003
【図２】
2019106505.tif 000004
【図３】
2019106505.tif 000005
【図４】
2019106505.tif 000006
【図５】
2019106505.tif 000007
【図６】
2019106505.tif 000008
【図７】
2019106505.tif 000009